(57)【要約】【課題】より簡単な作業により運搬過程における廃棄物の重量および運搬経路の管理を効率的かつ確実におこなうこと。【解決手段】廃棄物１５０が廃棄物収集車両１４０によって収集される（１）。排出場所において廃棄物１５０の重量が計量される（２）。計量情報がサーバ１２０に対して送信される（３）。廃棄物１５０が運搬される（４）。位置情報がサーバ１２０に対して送信される（５）。廃棄物処理場において廃棄物１５０の重量が計量される（６）。計量情報がサーバ１２０に対して送信される（７）。廃棄物１５０の処理の適正が判定される（８）。処理適正情報が出力される（９）。【選択図】図１
2008015627.tif 000002
【特許請求の範囲】
【請求項１】
所定の計量場所において計量された廃棄物の重量に関する情報（以下、「計量情報」という）を取得する計量情報取得手段と、
前記計量情報に基づいて、前記廃棄物の重量による前記廃棄物の処理の適正を判定する重量適正判定手段と、
前記廃棄物を収集する廃棄物収集車両の現在位置に関する情報（以下、「位置情報」という）を取得する位置情報取得手段と、
前記位置情報に基づいて、前記廃棄物収集車両の走行経路による前記廃棄物の処理の適正を判定する経路適正判定手段と、
前記重量適正判定手段によって判定された結果に関する情報と、前記経路適正判定手段によって判定された結果に関する情報とに基づいて、前記廃棄物の処理の適正を総合的に判定する処理適正判定手段と、
を備えたことを特徴とする廃棄処理管理装置。
【請求項２】
前記廃棄物は液状または粉末状の廃棄物であることを特徴とする請求項１に記載の廃棄処理管理装置。
【請求項３】
前記処理適正判定手段によって判定された前記廃棄物の処理の適正に関する情報（以下、「処理適正情報」という）を出力する出力手段をさらに備えたことを特徴とする請求項１または２に記載の廃棄処理管理装置。
【請求項４】
前記出力手段は、前記処理適正判定手段によって前記廃棄物の処理に不正があったと判断された場合にのみ、前記処理適正情報を出力することを特徴とする請求項３に記載の廃棄処理管理装置。
【請求項５】
所定の計量場所において計量された廃棄物の重量に関する情報（以下、「計量情報」という）を取得する計量情報取得工程と、
前記計量情報に基づいて、前記廃棄物の重量による前記廃棄物の処理の適正を判定する重量適正判定工程と、
前記廃棄物を収集する廃棄物収集車両の現在位置に関する情報（以下、「位置情報」という）を取得する位置情報取得工程と、
前記位置情報に基づいて、前記廃棄物収集車両の走行経路による前記廃棄物の処理の適正を判定する経路適正判定工程と、
前記重量適正判定工程によって判定された結果に関する情報と、前記経路適正判定工程によって判定された結果に関する情報とに基づいて、前記廃棄物の処理の適正を総合的に判定する処理適正判定工程と、
を含んだことを特徴とする廃棄処理管理方法。
【請求項６】
所定の計量場所において計量された廃棄物の重量に関する情報（以下、「計量情報」という）を取得する計量情報取得工程と、
前記計量情報に基づいて、前記廃棄物の重量による前記廃棄物の処理の適正を判定する重量適正判定工程と、
前記廃棄物を収集する廃棄物収集車両の現在位置に関する情報（以下、「位置情報」という）を取得する位置情報取得工程と、
前記位置情報に基づいて、前記廃棄物収集車両の走行経路による前記廃棄物の処理の適正を判定する経路適正判定工程と、
前記重量適正判定工程によって判定された結果に関する情報と、前記経路適正判定工程によって判定された結果に関する情報とに基づいて、前記廃棄物の処理の適正を総合的に判定する処理適正判定工程と、
を含んだ廃棄処理管理方法をコンピュータに実行させることを特徴とする廃棄処理管理プログラム。
【発明の詳細な説明】
【技術分野】
【０００１】
この発明は、廃棄物の処理の管理をおこなう廃棄処理管理装置、廃棄処理管理方法、および廃棄処理管理プログラムに関する。
【背景技術】
【０００２】
従来、廃棄物の処理における運搬過程においては、最終目的地に到達するまでに、担当者（作業者）の処理ミスなどの過失によりまたは担当者が不正の目的など意図的な処理によって、廃棄物の処理量が変化してしまうことがある。これらを防止するために、経由地点ごとに廃棄物の重量を計測し、記録・管理する必要があった。特に、産業廃棄物の場合、運搬過程における不法投棄などが問題となっており、それを防止するために、運搬過程における廃棄物の重量を管理することは効果的であった。中でも、ＲＦＩＤタグを貼付して廃棄物を追跡することが困難であるうえ不法投棄をおこないやすい液状または粉末状の廃棄物（たとえば汚泥やビールカスなど）の不法投棄の防止に効果的であった。
【発明の開示】
【発明が解決しようとする課題】
【０００３】
しかしながら、上記従来技術にあっては、たとえば重量の計測地点間において運搬経路を逸脱し廃棄物を同一の重量のものにすり替えるなどの不正がおこなわれた場合であっても、廃棄物の重量の管理だけでは、このような不正がおこなわれているか否かを把握することが困難であった。その結果、運搬過程における不正が後を絶たないという問題が生じていた。
【０００４】
この発明は、上述した従来技術による問題点を解消するため、より簡単な作業により運搬過程における廃棄物の重量および運搬経路の管理を効率的かつ確実におこなうことができ、廃棄物の処理の適正化を図ることが可能な廃棄処理管理装置、廃棄処理管理方法、および廃棄処理管理プログラムを提供することを目的とする。
【課題を解決するための手段】
【０００５】
上述した課題を解決し、目的を達成するため、この発明にかかる廃棄処理管理装置は、所定の計量場所において計量された廃棄物の重量に関する情報（以下、「計量情報」という）を取得する計量情報取得手段と、前記計量情報に基づいて、前記廃棄物の重量による前記廃棄物の処理の適正を判定する重量適正判定手段と、前記廃棄物を収集する廃棄物収集車両の現在位置に関する情報（以下、「位置情報」という）を取得する位置情報取得手段と、前記位置情報に基づいて、前記廃棄物収集車両の走行経路による前記廃棄物の処理の適正を判定する経路適正判定手段と、前記重量適正判定手段によって判定された結果に関する情報と、前記経路適正判定手段によって判定された結果に関する情報とに基づいて、前記廃棄物の処理の適正を総合的に判定する処理適正判定手段と、を備えたことを特徴とする。
【０００６】
また、この発明にかかる廃棄処理管理装置は、上記に記載の発明において、前記廃棄物は液状または粉末状の廃棄物であることを特徴とする。
【０００７】
また、この発明にかかる廃棄処理管理装置は、上記に記載の発明において、前記処理適正判定手段によって判定された前記廃棄物の処理の適正に関する情報（以下、「処理適正情報」という）を出力する出力手段をさらに備えたことを特徴とする。
【０００８】
また、この発明にかかる廃棄処理管理装置は、上記に記載の発明において、前記出力手段は、前記処理適正判定手段によって前記廃棄物の処理に不正があったと判断された場合にのみ、前記処理適正情報を出力することを特徴とする。
【０００９】
また、この発明にかかる廃棄処理管理方法は、所定の計量場所において計量された廃棄物の重量に関する情報（以下、「計量情報」という）を取得する計量情報取得工程と、前記計量情報に基づいて、前記廃棄物の重量による前記廃棄物の処理の適正を判定する重量適正判定工程と、前記廃棄物を収集する廃棄物収集車両の現在位置に関する情報（以下、「位置情報」という）を取得する位置情報取得工程と、前記位置情報に基づいて、前記廃棄物収集車両の走行経路による前記廃棄物の処理の適正を判定する経路適正判定工程と、前記重量適正判定工程によって判定された結果に関する情報と、前記経路適正判定工程によって判定された結果に関する情報とに基づいて、前記廃棄物の処理の適正を総合的に判定する処理適正判定工程と、を含んだことを特徴とする。
【００１０】
また、この発明にかかる廃棄処理管理プログラムは、所定の計量場所において計量された廃棄物の重量に関する情報（以下、「計量情報」という）を取得する計量情報取得工程と、前記計量情報に基づいて、前記廃棄物の重量による前記廃棄物の処理の適正を判定する重量適正判定工程と、前記廃棄物を収集する廃棄物収集車両の現在位置に関する情報（以下、「位置情報」という）を取得する位置情報取得工程と、前記位置情報に基づいて、前記廃棄物収集車両の走行経路による前記廃棄物の処理の適正を判定する経路適正判定工程と、前記重量適正判定工程によって判定された結果に関する情報と、前記経路適正判定工程によって判定された結果に関する情報とに基づいて、前記廃棄物の処理の適正を総合的に判定する処理適正判定工程と、を含んだ廃棄処理管理方法をコンピュータに実行させることを特徴とする。
【発明の効果】
【００１１】
本発明によれば、より簡単な作業によって、運搬過程における廃棄物の重量および運搬経路の管理を効率的かつ確実におこなうことができ、廃棄物の処理の適正化を図ることが可能な廃棄処理管理装置、廃棄処理管理方法、および廃棄処理管理プログラムが得られるという効果を奏する。
【発明を実施するための最良の形態】
【００１２】
以下に添付図面を参照して、この発明にかかる廃棄処理管理装置、廃棄処理管理方法、および廃棄処理管理プログラムの好適な実施の形態を詳細に説明する。
【００１３】
（廃棄物収集管理処理の概要）
まず、この発明の実施の形態にかかる廃棄処理管理装置、廃棄処理管理方法、および廃棄処理管理プログラムの概要について説明する。図１は、この発明の本実施の形態にかかる廃棄処理管理装置、廃棄処理管理方法、および廃棄処理管理プログラムの概要を示す説明図である。
【００１４】
図１において、（１）まず、廃棄物１５０の排出場所（たとえば企業の製造工場など）において、たとえば汚泥などの液状の廃棄物１５０が廃棄物収集車両１４０によって収集される。（２）そして、上記排出場所において計量機１２２によって廃棄物１５０の重量が計量される。ここで、たとえば、さらに廃棄物１５０の容積が測定されてもよい。（３）このとき計量された廃棄物１５０の重量に関する情報（以下、「計量情報」という）が、サーバ１２０に対してネットワーク１１０を介して送信され、サーバ１２０に備えられたデータベースなどに記録される。
【００１５】
（４）そして、廃棄物収集車両１４０によって廃棄物１５０が廃棄物処理場に向けて運搬される。このとき、廃棄物収集車両１４０に設けられたＧＰＳ１２１によって所定の間隔（たとえば５分間）ごとに廃棄物収集車両１４０の現在位置が検出される。（５）そして、廃棄物収集車両１４０の現在位置が検出されるたびに、廃棄物収集車両１４０の現在位置に関する情報（以下、「位置情報」という）がサーバ１２０に対してネットワーク１１０を介して送信される。
【００１６】
（６）そして、廃棄物処理場において計量機１２２によって廃棄物１５０の重量が計量される。（７）このとき、同様に計量情報が、サーバ１２０に対してネットワーク１１０を介して送信され、サーバ１２０に備えられたデータベースなどに記録される。
【００１７】
（８）そして、サーバ１２０において、データベースなどに記録された位置情報および計量情報に基づく、廃棄物１５０の処理の適正（廃棄物１５０の処理が正しくおこなわれたか否か）が判定される。たとえばサーバ１２０は、位置情報に基づいて廃棄物収集車両１４０の走行経路による廃棄物１５０の処理の適正（廃棄物収集車両１４０が所定の禁止地域に進入したか否か）を判定する。
【００１８】
また、たとえばサーバ１２０は、計量情報に基づいて廃棄物１５０の重量による廃棄物１５０の処理の適正（廃棄物１５０が不正に処分されたか否か）を判定する。そして、たとえばサーバ１２０は、廃棄物収集車両１４０の走行経路による廃棄物１５０の処理の適正に関する情報と、廃棄物１５０の重量による廃棄物１５０の処理の適正に関する情報とに基づいて、廃棄物１５０の処理の適正を総合的に判定する。（９）そして、たとえば廃棄物１５０の処理に不正があったと判定された場合は、サーバ１２０によって廃棄物１５０の処理の適正に関する情報（処理適正情報）が出力される。
【００１９】
（全体システムの構成）
つぎに、この発明の実施の形態にかかる廃棄処理管理装置を含む全体システムの構成について説明する。図２は、この発明の本実施の形態にかかる廃棄処理管理装置を含む全体システムの構成を示す説明図である。
【００２０】
図２において、廃棄処理管理システム２００は、廃棄処理管理装置２１０と、ネットワーク１１０とによって構成されている。廃棄処理管理装置２１０は、サーバ１２０と、廃棄物収集車両１４０に設けられたＧＰＳ（Ｇｌｏｂａｌ  Ｐｏｓｉｔｉｏｎｉｎｇ  Ｓｙｓｔｅｍ）１２１と、計測地点に設けられた計量機１２２とによって構成されており、それぞれネットワーク１１０に接続されている。
【００２１】
サーバ１２０は、ＧＰＳ１２１および計量機１２２を含めた廃棄処理管理システム２００全体の制御を司る。またサーバ１２０は、ＧＰＳ１２１からネットワーク１１０を介して送信された位置情報を受信する。またサーバ１２０は、計量機１２２からネットワーク１１０を介して送信された計量情報を受信する。
【００２２】
ＧＰＳ１２１は、廃棄物収集車両１４０におけるＧＰＳ衛星からの電波を受信することができる位置に設けられ、所定の間隔（たとえば５分間）ごとに廃棄物収集車両１４０が存在する位置を検出し、そのつど位置情報をサーバ１２０に対してネットワーク１１０を介して送信する。具体的には、ＧＰＳ１２１は、ＧＰＳ衛星からの電波を受信し、ＧＰＳ衛星との幾何学的位置を求めるものであり、地球上どこでも計測可能である。電波としては、１．５７５．４２ＭＨｚの搬送波で、Ｃ／Ａ（Ｃｏａｒｓｅ  ａｎｄ  Ａｃｃｅｓｓ）コードおよび航法メッセージが乗っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。
【００２３】
計量機１２２は、各計測地点（たとえば、廃棄物１５０の受け渡し場所、廃棄物１５０の最終処理場など）に設けられており、廃棄物収集車両１４０が載置されることによってその重量を計測し、計測された重量から、廃棄物１５０の重量を算出し、計量情報をサーバ１２０に対してネットワーク１１０を介して送信する。計量機１２２は、たとえば計測された重量から、燃料、乗員などの重量を含む廃棄物収集車両１４０そのものの重量を減算することによって廃棄物１５０の重量を求めることができる。また、計量機１２２は、たとえば廃棄物収集車両１４０に設けられ、人手を介さずに所定の間隔（たとえば１時間）ごとに廃棄物１５０の重量を計量し、そのつど計量情報をサーバ１２０に対して送信するものであってもよい。
【００２４】
（廃棄処理管理装置２１０のハードウェア構成）
つぎに、本実施の形態にかかる廃棄処理管理方法を実現する廃棄処理管理装置２１０のハードウェア構成について説明する。図３は、廃棄処理管理装置２１０のハードウェア構成の一例を示すブロック図である。
【００２５】
図３において、廃棄処理管理装置２１０は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、ＨＤＤ（Ｈａｒｄ  Ｄｉｓｃ  Ｄｒｉｖｅ）３０４と、ＨＤ（Ｈａｒｄ  Ｄｉｓｃ）３０５と、ＦＤＤ（Ｆｌｅｘｉｂｌｅ  Ｄｉｓｃ  Ｄｒｉｖｅ）３０６と、ＦＤ（Ｆｌｅｘｉｂｌｅ  Ｄｉｓｃ）３０７と、ディスプレイ３０８と、Ｉ／Ｆ（インタフェース）３０９と、操作ボタン３１０と、時計３１１と、プリンタ３１２と、ＧＰＳ１２１と、計量機１２２とを備えて構成されており、上記各構成部はバス３２０によってそれぞれ接続されている。
【００２６】
ＣＰＵ３０１は、廃棄処理管理装置２１０の全体の制御を司る。ＲＯＭ３０２は、各種制御プログラムなどを記憶する。ＲＡＭ３０３は、ＣＰＵ３０１のワークエリアとして使用される。ＨＤＤ３０４はＣＰＵ３０１の制御命令に従って、ＨＤ３０５に対するデータの読み取り／書き込みを制御する。ＨＤ３０５は、ＨＤＤ３０４の制御で書き込まれたデータを記憶する。ＦＤＤ３０６はＣＰＵ３０１の制御命令に従って、ＦＤ３０７に対するデータの読み取り／書き込みの制御をおこなう。
【００２７】
ＦＤ３０７は、ＦＤＤ３０６の制御で書き込まれたデータを記憶する着脱可能な記憶媒体である。着脱可能な記憶媒体として、ＦＤ３０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｃ）、メモリカードなどであってもよい。
【００２８】
ディスプレイ３０８は、テキストデータ、画像データなどの各種情報を表示する。ディスプレイ３０８は、たとえばＴＦＴ（Ｔｈｉｎ  Ｆｉｌｍ  Ｔｒａｎｓｉｓｔｏｒ）液晶ディスプレイのほか、ＣＲＴ（Ｃａｔｈｏｄｅ  Ｒａｙ  Ｔｕｂｅ）やプラズマディスプレイなどであってもよい。
【００２９】
Ｉ／Ｆ３０９は、通信回線を通じてネットワーク１１０に接続され、ネットワーク１１０を介して、他の情報処理装置、各種データベースなどに接続される。そして、Ｉ／Ｆ３０９は、ネットワーク１１０と装置内部とのインタフェースを司り、他の情報処理装置、各種データベースなどとのデータの入出力を制御する。Ｉ／Ｆ３０９は、たとえばモデムやＬＡＮアダプタなどである。またＩ／Ｆ３０９は、ＵＳＢなどの外部入出力としても用いることができる。
【００３０】
操作ボタン３１０は、各種データの送受信、入力、設定などに用いる。時計３１１は、現在時刻を計時して、たとえば計量機１２２によって廃棄物１５０の重量が計測された時刻や、ＧＰＳ１２１から送信された位置情報をサーバ１２０が受信した時刻などを出力する。プリンタ３１２は、各種情報を印刷する。プリンタ３１２は、たとえば、レーザプリンタやインクジェットプリンタなどである。
【００３１】
（廃棄処理管理装置２１０の機能的構成）
つぎに、本実施の形態にかかる廃棄処理管理装置２１０の機能的構成について説明する。図４は、この発明の本実施の形態にかかる廃棄処理管理装置２１０の機能的構成の一例を示すブロック図である。
【００３２】
図４において、廃棄処理管理装置２１０は、位置情報取得部４０１と、位置情報記録部４０２と、計量情報取得部４０３と、計量情報記録部４０４と、適正判定部４０５と、出力部４０６と、位置情報記憶部４１０と、計量情報記憶部４２０とによって構成されている。
【００３３】
図４において、位置情報取得部４０１は、位置情報を取得する。位置情報取得部４０１は、具体的には、たとえば図３に示したＧＰＳ１２１によってその機能を実現する。
【００３４】
位置情報記録部４０２は、位置情報取得部４０１によって取得された位置情報を位置情報記憶部４１０に記録する。位置情報記録部４０２は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００３５】
計量情報取得部４０３は、計量情報を取得する。計量情報取得部４０３は、具体的には、たとえば図３に示した計量機１２２によってその機能を実現する。
【００３６】
計量情報記録部４０４は、計量情報取得部４０３によって取得された計量情報を計量情報記憶部４２０に記録する。計量情報記録部４０４は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００３７】
適正判定部４０５は、廃棄物１５０の処理の適正を判定する。適正判定部４０５は、たとえば位置情報記憶部４１０に記録された位置情報と、廃棄物収集車両１４０の走行経路による廃棄物１５０の処理の適正の判定基準に関する情報（以下、「位置適正判定基準情報」という）とに基づいて、廃棄物収集車両１４０の走行経路による廃棄物１５０の処理の適正を判定する。
【００３８】
また、適正判定部４０５は、たとえば計量情報記憶部４２０に記録された計量情報と、廃棄物１５０の重量による廃棄物１５０の処理の適正の判定基準に関する情報（以下、「重量適正判定基準情報」という）とに基づいて、廃棄物１５０の重量による廃棄物１５０の処理の適正を判定する。さらに適正判定部４０５は、廃棄物収集車両１４０の走行経路による廃棄物１５０の処理の適正に関する情報と、廃棄物１５０の重量による廃棄物１５０の処理の適正に関する情報と、廃棄物１５０の処理の適正の判定基準に関する情報（以下、「処理適正判定基準情報」という）とに基づいて、廃棄物１５０の処理の適正を総合的に判定する。
【００３９】
適正判定部４０５は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。なお、位置適正判定基準情報の一例については図５を用いて後述する。また、重量適正判定基準情報の一例については図６を用いて後述する。そして、処理適正判定基準情報の一例については図７を用いて後述する。
【００４０】
出力部４０６は、適正判定部４０５によって総合的に判定された廃棄物１５０の処理の適正に関する情報（以下、「処理適正情報」という）を出力する。出力部４０６は、具体的には、たとえば図３に示したディスプレイ３０８およびプリンタ３１２によってその機能を実現する。
【００４１】
位置情報記憶部４１０には、位置情報記録部４０２によって位置情報が記録される。位置情報記憶部４１０は、具体的には、たとえば図３に示したＲＯＭ３０２、ＲＡＭ３０３、ＨＤ３０５、ＦＤ３０７によってその機能を実現する。
【００４２】
計量情報記憶部４２０には、計量情報記録部４０４によって計量情報が記録される。計量情報記憶部４２０は、具体的には、たとえば図３に示したＲＯＭ３０２、ＲＡＭ３０３、ＨＤ３０５、ＦＤ３０７によってその機能を実現する。
【００４３】
（位置適正判定基準情報の一例）
つぎに、位置適正判定基準情報の一例について説明する。図５は、位置適正判定基準情報の一例を示す説明図である。図５において、位置適正判定基準情報を示す表５００は、「禁止地域」によって構成されている。この「禁止地域」には、あらかじめ廃棄物収集車両１４０による進入が禁止されている地域（たとえば空き地、山林など不法投棄が頻繁におこなわれるような場所）のリストが設定されている。このリストは、たとえば地域ごとにその地域を管轄する自治体などから入手することができる。
【００４４】
この表５００は、あらかじめ所定の記録媒体（たとえば図３に示したＲＯＭ３０２、ＲＡＭ３０３、ＨＤ３０５、ＦＤ３０７など）に記録されており、適正判定部４０５によって上記記録媒体などから読み取られ、廃棄物収集車両１４０の走行経路による廃棄物１５０の処理の適正の判定処理に利用される。
【００４５】
そして、たとえば廃棄物収集車両１４０による表５００に設定されているいずれかの地域（たとえば「○○県×××市□□２丁目」）への進入があり、この表５００を用いて廃棄物収集車両１４０の走行経路による廃棄物１５０の処理の適正処理をおこなった場合、適正判定部４０５は廃棄物収集車両１４０による「禁止地域への進入あり」と判定する。
【００４６】
（重量適正判定基準情報の一例）
つぎに、重量適正判定基準情報の一例について説明する。図６は、重量適正判定基準情報の一例を示す説明図である。図６において、重量適正判定基準情報を示す表６００は、「差異率」と、「重量適正」とによって構成されている。「差異率」には、任意の２地点において計測された廃棄物１５０の重量の差異を示す割合の範囲が設定されている。
【００４７】
また「重量適正」には、「差異率」に設定されているそれぞれの範囲に対応する、廃棄物１５０の重量による廃棄物１５０の処理の適正が設定されている。この表６００は、あらかじめ所定の記録媒体（たとえば図３に示したＲＯＭ３０２、ＲＡＭ３０３、ＨＤ３０５、ＦＤ３０７など）に記録されており、適正判定部４０５によって上記記録媒体などから読み取られ、廃棄物１５０の重量による廃棄物１５０の処理の適正の判定処理に利用される。
【００４８】
そして、たとえばこの表６００を用いて、廃棄物１５０の重量による廃棄物１５０の処理の適正処理をおこなった場合、適正判定部４０５は、たとえば「差異率」（任意の２地点において計測された廃棄物１５０の重量の差異を示す割合）が「０％〜４％」の範囲内のときにおける「重量適正」（廃棄物１５０の重量による廃棄物１５０の処理の適正）として「正常」と判定する。
【００４９】
また、適正判定部４０５は、たとえば「差異率」が「５％〜９％」の範囲内のときにおける「重量適正」として「注意」と判定する。さらに適正判定部４０５は、たとえば「差異率」が「１０％〜（１０％以上）」のときにおける「重量適正」として「警告」と判定する。
【００５０】
（処理適正判定基準情報の一例）
つぎに、処理適正判定基準情報の一例について説明する。図７は、処理適正判定基準情報の一例を示す説明図である。図７において、処理適正判定基準情報を示す表７００は、「重量適正」と、「禁止地域への進入有無」と、「処理適正度」とによって構成されている。
【００５１】
この表７００において、「重量適正」には、たとえば図６に示す重量適正判定基準情報（表６００）を用いて廃棄物１５０の重量による廃棄物１５０の処理の適正の判定処理をおこなった場合の判定結果に対応する値（「警告」、「注意」および「正常」）が設定されている。また「禁止地域への進入有無」には、たとえば図５に示す位置適正判定基準情報（表５００）を用いて廃棄物収集車両１４０の走行経路による廃棄物１５０の処理の適正の判定処理をおこなった場合の判定結果に対応する値（「あり」および「なし」）が、「重量適正」に設定されているそれぞれの値ごとに設定されている。
【００５２】
さらに「処理適正度」には、「重量適正」および「禁止地域への進入有無」に設定されている値を判定条件としたときに判定結果として選択される廃棄物１５０の処理の適正の度合いを示す数値（「１」〜「５」）が設定されている。ここで、この数値は、値が大きいほど廃棄物１５０の処理が適正におこなわれたことを意味する。この表７００は、あらかじめ所定の記録媒体（たとえば図３に示したＲＯＭ３０２、ＲＡＭ３０３、ＨＤ３０５、ＦＤ３０７など）に記録されており、適正判定部４０５によって上記記録媒体などから読み取られ、廃棄物１５０の処理の適正の総合的な判定処理に利用される。
【００５３】
そして、たとえばこの表７００を用いて、廃棄物１５０の処理の適正の総合的な判定処理をおこなった場合、適正判定部４０５は、たとえば「重量適正」が「警告」であり、「禁止地域への進入有無」が「あり」のときにおける「処理適正度」（廃棄物１５０の処理の適正）として「１」（不正がおこなわれた可能性が高い）と判定することが示されている。また、適正判定部４０５は、たとえば「重量適正」が「正常」であり、「禁止地域への進入有無」が「なし」のときにおける「処理適正度」として「５」（不正がおこなわれた可能性が低い）と判定することが示されている。
【００５４】
（廃棄処理管理装置２１０による廃棄処理管理処理の手順）
つぎに、廃棄処理管理装置２１０による廃棄処理管理処理の手順について説明する。図８は、この発明の本実施の形態にかかる廃棄処理管理装置２１０による廃棄処理管理処理の手順を示すフローチャートである。
【００５５】
まず、位置情報取得部４０１によって、位置情報を取得したか否か（すなわちＧＰＳ１２１から送信された位置情報をサーバ１２０が受信したか否か）を判断する（ステップＳ８０１）。ステップＳ８０１において、位置情報を取得したと判断した場合（ステップＳ８０１：Ｙｅｓ）は、位置情報記録部４０２によって、ステップＳ８０１で取得された位置情報を位置情報記憶部４１０に記録して（ステップＳ８０２）、ステップＳ８０１へ戻る。なお、位置情報記憶部４１０に記録された位置情報の一例については図９および図１０を用いて後述する。
【００５６】
一方、ステップＳ８０１において、位置情報を取得していないと判断した場合（ステップＳ８０１：Ｎｏ）は、計量情報取得部４０３によって、計量情報を取得したか否か（すなわち計量機１２２によって廃棄物１５０の重量が計測されたか否か）を判断する（ステップＳ８０３）。
【００５７】
ステップＳ８０３において、計量情報を取得したと判断した場合（ステップＳ８０３：Ｙｅｓ）は、計量情報記録部４０４によって、ステップＳ８０３で取得された計量情報を計量情報記憶部４２０に記録して（ステップＳ８０４）、ステップＳ８０１へ戻る。一方、ステップＳ８０３において、計量情報を取得していないと判断した場合（ステップＳ８０３：Ｎｏ）は、ステップＳ８０５へ進む。なお、計量機１２２を用いた廃棄物１５０の重量の計測作業の一例については図１１および図１２を用いて後述する。また、計量情報記憶部４２０に記録された計量情報の一例については図１３を用いて後述する。
【００５８】
つぎに、適正判定部４０５によって、廃棄物収集車両１４０による廃棄物１５０の運搬が完了したか否かを判断する（ステップＳ８０５）。ステップＳ８０５において、廃棄物収集車両１４０による廃棄物１５０の運搬が完了したと判断した場合（ステップＳ８０５：Ｙｅｓ）は、ステップＳ８０６へ進む。一方、ステップＳ８０５において、廃棄物収集車両１４０による廃棄物１５０の運搬が完了していないと判断した場合（ステップＳ８０５：Ｎｏ）は、ステップＳ８０１へ戻る。
【００５９】
つぎに、適正判定部４０５によって、廃棄物収集車両１４０の走行経路による廃棄物１５０の処理の適正を判定する（ステップＳ８０６）。ここで適正判定部４０５は、たとえばステップＳ８０２で位置情報記憶部４１０に記録された位置情報と、図５に示した位置適正判定基準情報とに基づいて、廃棄物収集車両１４０の走行経路による廃棄物１５０の処理の適正を判定する。なお上記判定処理は、廃棄物１５０の運搬が完了した後に限らず、たとえば位置情報取得部４０１によって位置情報が取得されるたびにおこなうようにしてもよい。
【００６０】
つぎに、適正判定部４０５によって、廃棄物１５０の重量による廃棄物１５０の処理の適正を判定する（ステップＳ８０７）。ここで適正判定部４０５は、たとえばステップＳ８０４で計量情報記憶部４２０に記録された計量情報と、図６に示した重量適正判定基準情報とに基づいて、廃棄物１５０の重量による廃棄物１５０の処理の適正を判定する。なお上記判定処理は、廃棄物１５０の運搬が完了した後に限らず、たとえば計量情報取得部４０３によって計量情報が取得されるたびにおこなうようにしてもよい。
【００６１】
つぎに、適正判定部４０５によって、廃棄物１５０の処理の適正を総合的に判定する（ステップＳ８０８）。ここで適正判定部４０５は、たとえば廃棄物収集車両１４０の走行経路による廃棄物１５０の処理の適正の判定処理（ステップＳ８０６）の結果に関する情報と、廃棄物１５０の重量による廃棄物１５０の処理の適正の判定処理（ステップＳ８０７）の結果に関する情報と、図７に示した処理適正判定基準情報とに基づいて、廃棄物１５０の処理の適正（処理適正度）を総合的に判定する。
【００６２】
つぎに、出力部４０６によって、ステップＳ８０８で判定された廃棄物１５０の処理の適正（処理適正度）は所定の基準値（たとえば「４」）未満か否かを判断する（ステップＳ８０９）。ステップＳ８０９において、処理適正度は所定の基準値未満ではないと判断した場合（ステップＳ８０９：Ｎｏ）は、ステップＳ８１０を飛ばして一連の処理を終了する。
【００６３】
一方、ステップＳ８０９において、処理適正度は所定の基準値未満（たとえば「１」〜「３」）であると判断した場合（ステップＳ８０９：Ｙｅｓ）は、出力部４０６によって、処理適正情報（廃棄物１５０の処理の適正の判定処理の結果に関する情報）を出力して（ステップＳ８１０）、一連の処理を終了する。ここで、たとえば出力部４０６は、処理適正情報をディスプレイ３０８の画面上に表示する。また、たとえば出力部４０６は、処理適正情報をプリンタ３１２を介して所定の用紙に印刷する。なお、ディスプレイ３０８の画面上に表示された処理適正情報の一例については図１４を用いて後述する。
【００６４】
（位置情報記憶部４１０に記録された位置情報の一例）
つぎに、位置情報記憶部４１０に記録された位置情報の一例について説明する。図９および図１０は、位置情報記憶部４１０に記録された位置情報の一例を示す説明図である。
【００６５】
図９および図１０において、位置情報記憶部４１０に記録された位置情報を示す表９００および表１０００は、「廃棄物ＩＤ」と、「廃棄物処理業者」と、「廃棄物収集車両ＩＤ」と、「位置」と、「計測日」と、「計測時刻」とによって構成されている。
【００６６】
たとえば、「廃棄物ＩＤ」には、廃棄物１５０を特定するためのＩＤが設定される。また「廃棄物処理業者」には、廃棄物１５０の処理業者（廃棄物収集車両１４０を運用・管理する業者）の名称が設定される。また「廃棄物収集車両ＩＤ」には、廃棄物１５０を運搬するときに用いられた廃棄物収集車両１４０を特定するためのＩＤが設定される。
【００６７】
また、「位置」には、ＧＰＳ１２１によって検出された廃棄物収集車両１４０の現在位置が設定される。そして、「計測日」および「計測時刻」には、廃棄物収集車両１４０の現在位置がＧＰＳ１２１によって検出された日時が設定される。このような位置情報は、図９に示すように、所定の間隔（たとえば５分間）ごとに位置情報記憶部４１０に記録される。そして位置情報記憶部４１０に記録された位置情報は、適正判定部４０５によって位置情報記憶部４１０から読み取られ、廃棄物収集車両１４０の走行経路による廃棄物１５０の処理の適正の判定処理に利用される。
【００６８】
たとえば、図９に示す位置情報（表９００）には、廃棄物収集車両ＩＤ「Ｃ００１」を有する廃棄物収集車両１４０によっておこなわれた、廃棄物ＩＤ「ＩＤ０００１」を有する廃棄物１５０の運搬に関する位置情報が示されている。ここで、図９に示す位置情報（表９００）における「位置」に設定されているいずれの地名にも、図５に示した位置適正判定基準情報（表５００）の「禁止地域」に設定されている地名が含まれない。このような位置情報（表９００）と、図５に示した位置適正判定基準情報とを用いて廃棄物収集車両ＩＤ「Ｃ００１」を有する廃棄物収集車両１４０の走行経路による廃棄物１５０の処理の適正の判定処理をおこなった場合、適正判定部４０５は、「禁止地域への進入なし」と判定する。
【００６９】
また、たとえば図１０に示す位置情報（表１０００）には、廃棄物収集車両ＩＤ「Ｃ０１２」を有する廃棄物収集車両１４０によっておこなわれた、廃棄物ＩＤ「ＩＤ０００２」を有する廃棄物１５０の運搬に関する位置情報が示されている。
【００７０】
ここで、図１０に示す位置情報（表１０００）における「位置」に設定されている地名のうち「○○県×××市□□３丁目１番地付近」には、図５に示した位置適正判定基準情報（表５００）の「禁止地域」に設定されている地名「○○県×××市□□３丁目」が含まれている。このような位置情報（表１０００）と、図５に示した位置適正判定基準情報とを用いて廃棄物収集車両ＩＤ「Ｃ０１２」を有する廃棄物収集車両１４０の走行経路による廃棄物１５０の処理の適正の判定処理をおこなった場合、適正判定部４０５は、「禁止地域への進入あり」と判定する。
【００７１】
また、図１０に示す位置情報（表１０００）には、廃棄物収集車両ＩＤ「Ｃ０１２」を有する廃棄物収集車両１４０が、同一の場所（「○○県×××市□□３丁目１番地付近」）に長時間停車していることが示されている。このように、同一の場所に所定の時間（たとえば２０分）以上停車していた場合は、たとえその場所が位置適正判定基準情報に設定されていない地名の場所であっても、適正判定部４０５は、廃棄物収集車両１４０による禁止地域への進入があったと判定するようにしてもよい。
【００７２】
（計量機１２２を用いた廃棄物１５０の重量の計測作業の一例）
つぎに、計量機１２２を用いた廃棄物１５０の重量の計測作業の一例について説明する。図１１および図１２は、計量機１２２を用いた廃棄物１５０の重量の計測作業の一例を示す説明図である。
【００７３】
図１１において、計量機１２２は、各計測地点（たとえば、廃棄物１５０の排出場所、廃棄物１５０の最終処理場など）に設けられている装置である。図１１に示すように、計量機１２２上に廃棄物収集車両１４０が載置されることによってその重量が計測される。そして、たとえば計測された重量から、燃料、乗員などの重量を含む廃棄物収集車両１４０そのものの重量が減算されることによって廃棄物１５０の重量が算出される。そして、算出された廃棄物１５０の重量を含む計量情報が、サーバ１２０に対してネットワーク１１０を介して送信される。
【００７４】
また、図１２において、計量機１２２は、廃棄物収集車両１４０に設けられており、所定の間隔（たとえば１時間）ごとに廃棄物１５０の重量を計量し、そのつど計量情報をサーバ１２０に対して送信する。このように計量機１２２を廃棄物収集車両１４０に設けることによって、場所を問わず、人手を介さずに廃棄物１５０の重量を計量することができる。
【００７５】
（計量情報記憶部４２０に記録された計量情報の一例）
つぎに、計量情報記憶部４２０に記録された計量情報の一例について説明する。図１３は、計量情報記憶部４２０に記録された計量情報の一例を示す説明図である。
【００７６】
図１３において、計量情報記憶部４２０に記録された計量情報を示す表１３００は、「廃棄物ＩＤ」と、「廃棄物処理業者」と、「廃棄物収集車両ＩＤ」と、「計量場所」と、「計量日」と、「計量時刻」と、「重量」とによって構成されている。
【００７７】
たとえば、「廃棄物ＩＤ」には、計量機１２２によって重量が計量された廃棄物１５０を特定するためのＩＤが設定される。また「廃棄物処理業者」には、廃棄物１５０の処理業者（廃棄物収集車両１４０を運用・管理する業者）の名称が設定される。また「廃棄物収集車両ＩＤ」には、廃棄物１５０を運搬するときに用いられた廃棄物収集車両１４０を特定するためのＩＤが設定される。また「計量場所」には、計量機１２２によって廃棄物１５０の重量が計量された場所が設定される。また「計量日」および「計量時刻」には、計量機１２２によって廃棄物１５０の重量が計量された日時が設定される。そして「重量」には、計量機１２２によって計量された廃棄物１５０の重量が設定される。計量情報記憶部４２０に記録された計量情報は、適正判定部４０５によって計量情報記憶部４２０から読み取られ、廃棄物１５０の重量による廃棄物１５０の処理の適正の判定処理に利用される。
【００７８】
たとえば、図１３に示す計量情報（表１３００）には、廃棄物収集車両ＩＤ「Ｃ００１」を有する廃棄物収集車両１４０によっておこなわれた、廃棄物ＩＤ「ＩＤ０００１」を有する廃棄物１５０の運搬に関する計量情報が示されている。ここで、図１３に示すように廃棄物ＩＤ「ＩＤ０００１」を有する廃棄物１５０が計量場所「○○工場  廃棄物排出場所」において計量されたときの廃棄物１５０の重量は「１０００ｋｇ」である。
【００７９】
また、計量場所「△△産業  廃棄物処理場所」において計量されたときの廃棄物１５０の重量は「１０００ｋｇ」である。これにより、たとえば適正判定部４０５は、上記二つの計量場所における廃棄物１５０の重量の差異率「０％」を算出することができる。そして、たとえば適正判定部４０５は、この差異率「０％」と図６に示した重量適正判定基準情報とによって、廃棄物ＩＤ「ＩＤ０００１」を有する廃棄物１５０の重量による廃棄物１５０の処理の適正を「正常」と判定することができる。
【００８０】
そして、たとえば適正判定部４０５は、このように判定された廃棄物１５０の重量による廃棄物１５０の処理の適正「正常」と、図９を用いて説明したように判定された廃棄物収集車両ＩＤ「Ｃ００１」を有する廃棄物収集車両１４０の走行経路による廃棄物１５０の処理の適正「禁止地域への進入なし」と、図７に示した処理適正判定基準情報とに基づいて、廃棄物ＩＤ「ＩＤ０００１」を有する廃棄物１５０の処理適正度を「５」と判定することができる。
【００８１】
また、たとえば図１３に示す計量情報（表１３００）には、廃棄物収集車両ＩＤ「Ｃ０１２」を有する廃棄物収集車両１４０によっておこなわれた、廃棄物ＩＤ「ＩＤ０００２」を有する廃棄物１５０の運搬に関する計量情報が示されている。ここで、図１３に示すように廃棄物ＩＤ「ＩＤ０００２」を有する廃棄物１５０が計量場所「○○工場  廃棄物排出場所」において計量されたときの廃棄物１５０の重量は「１０００ｋｇ」である。
【００８２】
また、計量場所「××興業  廃棄物処理場所」において計量されたときの廃棄物１５０の重量は「８８０ｋｇ」である。これにより、たとえば適正判定部４０５は、上記二つの計量場所における廃棄物１５０の重量の差異率「１２％」を算出することができる。そして、たとえば適正判定部４０５は、この差異率「１２％」と図６に示した重量適正判定基準情報とによって、廃棄物ＩＤ「ＩＤ０００２」を有する廃棄物１５０の重量による廃棄物１５０の処理の適正を「警告」と判定することができる。
【００８３】
そして、たとえば適正判定部４０５は、このように判定された廃棄物１５０の重量による廃棄物１５０の処理の適正「警告」と、図１０を用いて説明したように判定された廃棄物収集車両ＩＤ「Ｃ０１２」を有する廃棄物収集車両１４０の走行経路による廃棄物１５０の処理の適正「禁止地域への進入あり」と、図７に示した処理適正判定基準情報とに基づいて、廃棄物ＩＤ「ＩＤ０００２」を有する廃棄物１５０の処理適正度を「１」と判定することができる。
【００８４】
（ディスプレイ３０８の画面上に表示された処理適正情報の一例）
つぎに、ディスプレイ３０８の画面上に表示された処理適正情報の一例について説明する。図１４は、ディスプレイ３０８の画面上に表示された処理適正情報の一例を示す説明図である。
【００８５】
図１４において、画面１４００は、ディスプレイ３０８の画面上に表示された画面であり、廃棄物収集車両ＩＤ「Ｃ０１２」を有する廃棄物収集車両１４０によっておこなわれた、廃棄物ＩＤ「ＩＤ０００２」を有する廃棄物１５０の運搬に関する処理適正情報が表示されている。
【００８６】
この廃棄物ＩＤ「ＩＤ０００２」を有する廃棄物１５０の運搬に関する処理適正情報は、図１３を用いて説明したように廃棄物ＩＤ「ＩＤ０００２」を有する廃棄物１５０の処理適正度が「１」と判定され、さらに出力部４０６によって、この処理適正度「１」は所定の基準値未満であると判断されたため、出力されたものである。
【００８７】
一方、廃棄物ＩＤ「ＩＤ０００１」を有する廃棄物１５０の運搬に関する処理適正情報は、図１３を用いて説明したように廃棄物ＩＤ「ＩＤ０００１」を有する廃棄物１５０の処理適正度が「５」と判定され、さらに出力部４０６によって、この処理適正度「５」は所定の基準値未満ではないと判断されたため、出力されていない。
【００８８】
このように、処理適正度が低い（すなわち不正の可能性が高い）処理適正情報のみを出力することによって、たとえば不正の検出者に対して大量の処理適正情報の中から不正の可能性が高い廃棄物１５０の処理に関する処理適正情報のみを容易に検出させることができる。これにより、たとえば不正の検出者による不正の検出作業に要する人件費などのコストを軽減することができる。
【００８９】
なお、処理適正情報の出力方法は上記方法（画面表示）に限らず、たとえばプリンタ３１２を介して所定の用紙に印刷したり、電子メールなどによって不正の検出者が保有する携帯端末などに送信するようにしてもよい。また、不正の可能性が高い廃棄物１５０の処理に関する処理適正情報のみをデータベースなどに記録し、業務の適正化を検討するときの参考データとして利用するようにしてもよい。
【００９０】
以上説明したように、本実施の形態によれば、計量機１２２によって廃棄物１５０の重量を計量するだけといった簡単な作業によって、容易に計量情報を取得して、この計量情報を計量情報記憶部４２０に記録することができる。また、ＧＰＳ１２１に廃棄物収集車両１４０が存在する位置を検出させることによって、容易に位置情報を取得して、この位置情報を位置情報記憶部４１０に記録することができる。
【００９１】
さらに、人手による作業を介すことなく、計量情報記憶部４２０に記録された計量情報と、位置情報記憶部４１０に記録された位置情報とに基づいて、廃棄物１５０の処理の適正を判定することができる。そのため、廃棄物１５０の処理の適正の判定処理を効率的かつ確実におこなうことができる。
【００９２】
このように、本実施の形態によれば、より簡単な作業により廃棄物１５０の運搬過程における廃棄物１５０の重量および運搬経路の管理を効率的かつ確実におこなうことができ、廃棄物１５０の処理の適正化を図ることができる。特に、ＲＦＩＤタグを貼付して廃棄物１５０を追跡することが困難であるうえ、不法投棄をおこないやすい液状または粉末状の廃棄物１５０であっても、不法投棄の防止に効果的であり、廃棄物１５０の処理の適正化を図ることができる。
【００９３】
なお、定期的に、計量情報記憶部４２０に記録された計量情報、位置情報記憶部４１０に記録された位置情報、廃棄物１５０の処理の適正の判定結果に関する情報、これら情報の統計情報などを、廃棄物処理業者に対して通知するようにしてもよい。これにより、廃棄物処理業者による廃棄物１５０の処理の不正を効果的に防止することができる。
【００９４】
なお、本実施の形態で説明した廃棄処理管理方法は、あらかじめ用意されたプログラムをパーソナル・コンピュータやワークステーションなどの廃棄処理管理装置で実行することにより実現することができる。このプログラムは、ＲＡＭ、ハードディスク、フレキシブルディスク、ＣＤ−ＲＯＭ、ＭＯ、ＤＶＤなどのコンピュータで読み取り可能な記憶媒体に記憶され、コンピュータによって記憶媒体から読み出されることによって実行される。またこのプログラムは、インターネットなどのネットワークを介して配布することが可能な伝送媒体であってもよい。
【産業上の利用可能性】
【００９５】
以上のように、本発明にかかる廃棄処理管理装置、廃棄処理管理方法、および廃棄処理管理プログラムは、企業などによる廃棄処理管理業務に利用可能であり、たとえば、廃棄物の処理の適正化に適している。
【図面の簡単な説明】
【００９６】
【図１】この発明の本実施の形態にかかる廃棄処理管理装置、廃棄処理管理方法、および廃棄処理管理プログラムの概要を示す説明図である。
【図２】この発明の本実施の形態にかかる廃棄処理管理装置を含む全体システムの構成を示す説明図である。
【図３】廃棄処理管理装置のハードウェア構成の一例を示すブロック図である。
【図４】この発明の本実施の形態にかかる廃棄処理管理装置の機能的構成の一例を示すブロック図である。
【図５】位置適正判定基準情報の一例を示す説明図である。
【図６】重量適正判定基準情報の一例を示す説明図である。
【図７】処理適正判定基準情報の一例を示す説明図である。
【図８】この発明の本実施の形態にかかる廃棄処理管理装置による廃棄処理管理処理の手順を示すフローチャートである。
【図９】位置情報記憶部に記録された位置情報の一例を示す説明図である。
【図１０】位置情報記憶部に記録された位置情報の一例を示す説明図である。
【図１１】計量機を用いた廃棄物の重量の計測作業の一例を示す説明図である。
【図１２】計量機を用いた廃棄物の重量の計測作業の一例を示す説明図である。
【図１３】計量情報記憶部に記録された計量情報の一例を示す説明図である。
【図１４】ディスプレイの画面上に表示された処理適正情報の一例を示す説明図である。
【符号の説明】
【００９７】
１１０  ネットワーク
１２０  サーバ
１２１  ＧＰＳ
１２２  計量機
１４０  廃棄物収集車両
１５０  廃棄物
２００  廃棄処理管理システム
２１０  廃棄処理管理装置
４０１  位置情報取得部
４０２  位置情報記録部
４０３  計量情報取得部
４０４  計量情報記録部
４０５  適正判定部
４０６  出力部
４１０  位置情報記憶部
４２０  計量情報記憶部
【図１】
2008015627.tif 000003
【図２】
2008015627.tif 000004
【図３】
2008015627.tif 000005
【図４】
2008015627.tif 000006
【図５】
2008015627.tif 000007
【図６】
2008015627.tif 000008
【図７】
2008015627.tif 000009
【図８】
2008015627.tif 000010
【図９】
2008015627.tif 000011
【図１０】
2008015627.tif 000012
【図１１】
2008015627.tif 000013
【図１２】
2008015627.tif 000014
【図１３】
2008015627.tif 000015
【図１４】
2008015627.tif 000016